(57)【特許請求の範囲】
【請求項１】
ユーザが撮影したユーザ映像と該ユーザ映像の背景となる事業者から配給された背景映像とを合成した合成映像を送信先に、ネットワークを介して送信する合成映像送信システムであって、
背景映像を配給する事業者に対して支払う、該事業者から配給される背景映像に対する支払料金を背景映像ごとに記憶する支払料金記憶手段と、
背景映像を前記事業者よりネットワークを介して受信する背景映像受信手段と、
前記支払料金記憶手段に記憶されている前記支払料金を参照し、前記背景映像受信手段により受信した背景映像に対して前記事業者に支払う支払料金の内容を表示する支払料金内容表示データ生成手段と、
前記支払料金内容表示データ生成手段により生成された表示データをネットワークを介して前記事業者に送信する支払料金内容表示データ送信手段と、
前記背景映像受信手段が受信した背景映像を記憶する背景映像記憶手段と、
前記ユーザ映像をネットワークを介してユーザより受信するユーザ映像受信手段と、
前記合成映像の送信先を示す情報をネットワークを介してユーザより受信する送信先受信手段と、
前記背景映像記憶手段により記憶されている背景映像の中から、ユーザにより所望する背景映像を選択させる選択情報をネットワークを介してユーザに送信する選択情報送信手段と、
前記選択情報送信手段により送信された前記選択情報のうちからユーザにより選択された選択情報をネットワークを介してユーザより受信する選択情報受信手段と、
前記選択情報受信手段により受信した選択情報に指定された背景映像と、前記ユーザ映像受信手段により受信したユーザ映像とを合成した合成映像を生成する合成映像生成手段と、
前記合成映像生成手段により生成した前記合成映像を、前記送信先受信手段により受信した送信先にネットワークを介して送信する合成映像送信手段と、
を備えることを特徴とする合成映像送信システム。
【請求項２】
合成映像を送信先に送信するサービスに対するサービス料金を背景映像ごとに記憶するサービス料金記憶手段と、
前記合成映像送信手段により前記合成映像を送信先に送信したのち、前記サービス料金記憶手段に記憶されている前記サービス料金を参照し、前記サービスに対する料金の請求内容を示す表示データを生成する料金請求内容表示データ生成手段と、
前記料金請求内容表示データ生成手段により生成された前記表示データを、ネットワークを介して前記ユーザに送信する料金請求内容表示データ送信手段と、
を備えることを特徴とする請求項１に記載の合成映像送信システム。
【請求項３】
ユーザが撮影したユーザ映像と該ユーザ映像の背景となる事業者から配給された背景映像とを合成した合成映像を送信先に、ネットワークを介して送信する合成映像送信方法であって、
背景映像を前記事業者よりネットワークを介して受信し、
前記事業者より背景映像を受信したのち、予め記憶されている、背景映像を配給する前記事業者に対して支払う支払料金を参照し、受信した背景映像の前記事業者に支払う支払料金の内容を表示する表示データを生成し、
生成した前記表示データをネットワークを介して前記事業者に送信し、
前記ユーザ映像をネットワークを介してユーザより受信し、
前記合成映像の送信先を示す情報をネットワークを介してユーザより受信し、
前記事業者から受信した背景映像の中から、ユーザにより所望する背景映像を選択させる選択情報をネットワークを介してユーザに送信し、
送信された前記選択情報のうちからユーザにより選択された選択情報をネットワークを介してユーザより受信し、
受信した前記選択情報に指定された背景映像と、受信した前記ユーザ映像とを合成した合成映像を生成し、
生成した前記合成映像を受信した前記送信先にネットワークを介して送信する、
ことを特徴とする合成映像送信方法。
【請求項４】
前記合成映像を送信先に送信したのち、予め記憶されている、合成映像を送信先に送信するサービス料金を参照し、前記サービスに対する料金の請求内容を示す表示データを生成し、
生成した前記表示データをネットワークを介して前記ユーザに送信する、
ことを特徴とする請求項３に記載の合成映像送信方法。
【請求項５】
背景映像を事業者よりネットワークを介して受信する手順、
前記事業者より背景映像を受信したのち、予め記憶されている、背景映像を配給する前記事業者に対して支払う支払料金を参照し、受信した背景映像の前記事業者に支払う支払料金の内容を表示する表示データを生成する手順、
生成した前記表示データをネットワークを介して前記事業者に送信する手順、
ユーザ映像をネットワークを介してユーザより受信する手順、
合成映像の送信先を示す情報をネットワークを介してユーザより受信する手順、
前記事業者から受信した背景映像の中から、ユーザにより所望する背景映像を選択させる選択情報をネットワークを介してユーザに送信する手順、
送信された前記選択情報のうちからユーザにより選択された選択情報をネットワークを介してユーザより受信する手順、
受信した前記選択情報に指定された背景映像と、受信した前記ユーザ映像とを合成した合成映像を生成する手順、
生成した前記合成映像を受信した前記送信先にネットワークを介して送信する手順、
をコンピュータに実行させるプログラム。
【発明の詳細な説明】
【０００１】
【発明の属する技術分野】
本発明は、ユーザが撮影した映像（以下、ユーザ映像という）とこのユーザ映像の背景となる背景映像とを合成した合成映像を送信先に、ネットワークを介して送信する合成映像送信システム、合成映像送信方法、及びプログラムに関する。
【０００２】
【従来の技術】
近年、インターネットの進歩により、携帯電話、パーソナルコンピュータから撮影した映像が送信先に配信されるようになってきた。
しかしながら、上述した映像の配信では、撮影者により撮影された映像がそのまま送信先に供給されるので、背景に価値がある映像、例えば、観光地において撮影された映像の場合、撮影者は、映像を撮影するときの背景や、ロケーション等に注意する必要があるとともに、最悪の場合には、撮影を断念せざるを得ないという問題点があった。
また、上述した映像の配信では、撮影した映像を単に送信先に供給するだけであるので、撮影者により任意に選択された背景映像を備える合成映像を生成したいという撮影者の意思を反映することができないという問題点があった。
【０００３】
因みに、特開２００２−６３４４３号公報には、観光地に設置されているプリント注文処理装置を使用して、デジタルカメラで観光地において撮影された画像にその観光地の固有の画像を合成した合成写真プリントを生成し、生成した合成写真プリントを遠隔地にある受取先端末に送信する技術が開示されている。
また、特開２００１−３４４４８１号公報には、自分の画像に商品の画像を合成する技術が開示されている。
これらの技術はともに、撮影者が撮影した映像に、撮影者により任意に選択された背景映像を合成した合成映像を、ユーザが指定した送信先に送信するものではない。
【発明が解決しようとする課題】
【０００４】
本発明は、上記問題点に鑑み、ユーザが撮影した映像にユーザが選択した背景映像を合成した合成映像を送信先に送信することができる合成映像送信システム等を提供することを目的とする。
【０００５】
【課題を解決するための手段】
前記目的を達成するために、本発明の第１の観点に係る合成映像送信システムは、
ユーザが撮影したユーザ映像と該ユーザ映像の背景となる事業者から配給された背景映像とを合成した合成映像を送信先に、ネットワークを介して送信する合成映像送信システムであって、
背景映像を配給する事業者に対して支払う、該事業者から配給される背景映像に対する支払料金を背景映像ごとに記憶する支払料金記憶手段と、
背景映像を前記事業者よりネットワークを介して受信する背景映像受信手段と、
前記支払料金記憶手段に記憶されている前記支払料金を参照し、前記背景映像受信手段により受信した背景映像に対して前記事業者に支払う支払料金の内容を表示する支払料金内容表示データ生成手段と、
前記支払料金内容表示データ生成手段により生成された表示データをネットワークを介して前記事業者に送信する支払料金内容表示データ送信手段と、
前記背景映像受信手段が受信した背景映像を記憶する背景映像記憶手段と、
前記ユーザ映像をネットワークを介してユーザより受信するユーザ映像受信手段と、
前記合成映像の送信先を示す情報をネットワークを介してユーザより受信する送信先受信手段と、
前記背景映像記憶手段により記憶されている背景映像の中から、ユーザにより所望する背景映像を選択させる選択情報をネットワークを介してユーザに送信する選択情報送信手段と、
前記選択情報送信手段により送信された前記選択情報のうちからユーザにより選択された選択情報をネットワークを介してユーザより受信する選択情報受信手段と、
前記選択情報受信手段により受信した選択情報に指定された背景映像と、前記ユーザ映像受信手段により受信したユーザ映像とを合成した合成映像を生成する合成映像生成手段と、
前記合成映像生成手段により生成した前記合成映像を、前記送信先受信手段により受信した送信先にネットワークを介して送信する合成映像送信手段と、
を備えることを特徴とする。
【０００６】
このような構成によれば、ユーザが撮影した映像にユーザが選択した背景映像を合成した合成映像を送信先に送信することができる。
【０００７】
合成映像を送信先に送信するサービスに対するサービス料金を背景映像ごとに記憶するサービス料金記憶手段と、
前記合成映像送信手段により前記合成映像を送信先に送信したのち、前記サービス料金記憶手段に記憶されている前記サービス料金を参照し、前記サービスに対する料金の請求内容を示す表示データを生成する料金請求内容表示データ生成手段と、
前記料金請求内容表示データ生成手段により生成された前記表示データを、ネットワークを介して前記ユーザに送信する料金請求内容表示データ送信手段と、
を備えるようにしてもよい。
【０００９】
また、この発明の第２の観点に係る合成映像送信方法は、
ユーザが撮影したユーザ映像と該ユーザ映像の背景となる事業者から配給された背景映像とを合成した合成映像を送信先に、ネットワークを介して送信する合成映像送信方法であって、
背景映像を前記事業者よりネットワークを介して受信し、
前記事業者より背景映像を受信したのち、予め記憶されている、背景映像を配給する前記事業者に対して支払う支払料金を参照し、受信した背景映像の前記事業者に支払う支払料金の内容を表示する表示データを生成し、
生成した前記表示データをネットワークを介して前記事業者に送信し、
前記ユーザ映像をネットワークを介してユーザより受信し、
前記合成映像の送信先を示す情報をネットワークを介してユーザより受信し、
前記事業者から受信した背景映像の中から、ユーザにより所望する背景映像を選択させる選択情報をネットワークを介してユーザに送信し、
送信された前記選択情報のうちからユーザにより選択された選択情報をネットワークを介してユーザより受信し、
受信した前記選択情報に指定された背景映像と、受信した前記ユーザ映像とを合成した合成映像を生成し、
生成した前記合成映像を受信した前記送信先にネットワークを介して送信する、
ことを特徴とする。
【００１０】
このような構成によれば、ユーザが撮影した映像にユーザが選択した背景映像を合成した合成映像を送信先に送信することができる。
【００１１】
前記合成映像を送信先に送信したのち、予め記憶されている、合成映像を送信先に送信するサービス料金を参照し、前記サービスに対する料金の請求内容を示す表示データを生成し、
生成した前記表示データをネットワークを介して前記ユーザに送信するようにしてもよい。
【００１３】
また、本発明の第３の観点に係るプログラムは、
背景映像を事業者よりネットワークを介して受信する手順、
前記事業者より背景映像を受信したのち、予め記憶されている、背景映像を配給する前記事業者に対して支払う支払料金を参照し、受信した背景映像の前記事業者に支払う支払料金の内容を表示する表示データを生成する手順、
生成した前記表示データをネットワークを介して前記事業者に送信する手順、
ユーザ映像をネットワークを介してユーザより受信する手順、
合成映像の送信先を示す情報をネットワークを介してユーザより受信する手順、
前記事業者から受信した背景映像の中から、ユーザにより所望する背景映像を選択させる選択情報をネットワークを介してユーザに送信する手順、
送信された前記選択情報のうちからユーザにより選択された選択情報をネットワークを介してユーザより受信する手順、
受信した前記選択情報に指定された背景映像と、受信した前記ユーザ映像とを合成した合成映像を生成する手順、
生成した前記合成映像を受信した前記送信先にネットワークを介して送信する手順、
をコンピュータに実行させる。
【００１４】
このような構成によれば、ユーザが撮影した映像にユーザが選択した背景映像を合成した合成映像を送信先に送信することができる。
【００１５】
【発明の実施の形態】
以下、発明の実施の形態に係る合成映像送信システム及び合成映像送信方法を、図を参照して説明する。
＜第１の実施形態＞
【００１６】
図１は本発明の第１の実施形態に係る合成映像送信システムの構成を示すブロック図である。
この合成映像送信システムは、ユーザ端末１０と、システム事業者センタに設置されている端末（以下、システム事業者端末という）２０と、映像ライブラリを販売する映像素材事業者センタに設置されている端末（以下、映像素材事業者端末という）３０と、後述する合成映像を受信するユーザ端末４０とから構成されている。ユーザ端末１０、システム事業者端末２０、映像素材事業者端末３０及びユーザ端末４０は、インターネット等からなるネットワークに接続されている。
【００１７】
ユーザ端末１０は、iMode,EZweb等のインターネットに対応し動画送受信機能を備える携帯電話およびパーソナルコンピュータ等の情報処理装置で構成され、制御部、記憶部、入力部、表示部、及び通信制御部（これら図示せず）を備えている。
制御部は、ＣＰＵ（Central Processing Unit)等を備え、制御プログラムに従った処理を実行する。
例えば、制御部は、システム事業者端末２０によりネットワーク５０上に提供されている後述する「おすすめ背景映像選択画面」を表示部に表示させる。
また、制御部は、撮影した映像または記憶部に記憶されている映像をネットワーク５０を介してシステム事業者端末２０に送信する。
また、制御部は、１）注文者が購入を希望する映像の購入注文情報、２）該映像の送信先を指定する送信先情報、３）購入者を識別する情報を備える購入者識別情報をネットワーク５０を介してシステム事業者端末２０に送信する。
【００１８】
記憶部は、ＲＡＭ、ＲＯＭ、ハードディスク装置等を備え、上記制御プログラム及び撮影した映像を記憶するとともに、制御部の作業領域として使用される。
入力部は、キーボードを備え、キーボードの押下信号を制御部に出力する。
表示部は、ＣＲＴ(Cathode Ray Tub)、液晶表示装置等を備え、制御部から出力された表示データを表示する。
【００１９】
通信制御部は、システム事業者端末２０及び映像素材事業者端末３０に対してデータの送受信に関する通信制御を行う。
【００２０】
システム事業者端末２０は、ワークステーション、サーバ等の情報処理装置によって構成され、制御部と、記憶部と、入力部と、表示部と、通信制御部と（これらは図示せず）を備えている。
【００２１】
制御部は、ＣＰＵ等により構成され、制御プログラムに従った処理を実行する。
例えば、制御部は、ユーザ端末１０が送信した購入者情報と購入注文情報とを受信し、これらの情報から後述する注文データを生成する。
また、制御部は、生成した注文データをもとにして、映像素材事業者センタから供給される背景映像を示す購入映像情報を生成し、生成した購入映像情報を映像素材事業者端末３０に送信する。
また、制御部は、購入した背景映像の費用を示す費用請求情報を表示する表示画面（以下、費用請求情報画面という）を生成し、生成した費用請求情報画面をユーザ端末１０に送信する。
また、制御部は、費用支払情報を表示する表示画面（以下、費用支払画面という）を生成し、生成した費用支払情報画面を映像素材事業者端末３０に送信する。
また、制御部は、映像素材事業者端末３０から送信されてきた背景映像と、ユーザ端末１０から送信された映像を合成し、合成した合成映像を注文先のユーザ端末４０に送信する。
【００２２】
記憶部は、ハードディスク装置、ＲＡＭ、ＲＯＭ等により構成され、１）上記制御プログラム、２）映像素材事業者端末３０から送信された背景映像を記憶する背景映像ＤＢ（データベース）、３）ユーザ端末１０から送信された映像を記憶するユーザ映像ＤＢ、４）ユーザ端末１０から送信された後述する注文データを記憶する注文ＤＢ、及び５）素材契約データを記憶する素材契約データファイルを備えるとともに、制御部の作業領域として使用される。
入力部は、キーボード、マウス等を備え、キーボードの押下信号、及びマウスの操作信号を制御部に出力する。
表示部は、ＣＲＴ（Cathode Ray Tube)、液晶表示装置等を備え、制御部から出力された表示データを表示する。
通信制御部は、ユーザ端末１０、システム事業者端末２０、映像素材事業者端末３０及びユーザ端末４０との間でデータの送受信に関する通信制御を行う。
【００２３】
映像素材事業者端末３０は、制御部と、記憶部と、入力部と、表示部と、通信制御部とから構成されている。
制御部は、ＣＰＵ等を備え、制御プログラムに従った処理を実行する。
例えば、制御部は、システム事業者端末２０から上記購入映像情報を受信し、受信した購入映像情報に表示されている背景映像ファイルをシステム事業者端末２０に送信する。
【００２４】
記憶部は、ハードディスク装置、ＲＡＭ、ＲＯＭ等により構成され、上記制御プログラム、背景映像ファイルを記憶するとともに、制御部の作業領域として使用される。
入力部は、キーボード、マウス等を備え、キーボードの押下信号、及びマウスの操作信号を制御部に出力する。
表示部は、ＣＲＴ、液晶表示装置等を備え、制御部から出力された表示データを表示する。
通信制御部は、システム事業者端末２０との間でデータの送受信に関する通信制御を行う。
【００２５】
ユーザー端末４０は、iMode,EZweb等のインターネットに対応し動画送受信機能を備える携帯電話、パーソナルコンピュータ等により構成され、制御部と、記憶部と、入力部と、表示部と、通信制御部とを備えている。
制御部は、ＣＰＵ等により構成され、制御プログラムに従った処理を実行する。
例えば、制御部は、システム事業者端末２０から送信された合成映像を受信し、受信した合成映像を表示部に再生させる。
【００２６】
記憶部は、ハードディスク装置、ＲＡＭ、ＲＯＭ等により構成され、上記制御プログラム、及び上記合成映像を記憶するとともに、制御部の作業領域として使用される。
入力部は、キーボード、マウス等を備え、キーボードの押下信号、及びマウスの操作信号を制御部に出力する。
表示部は、ＣＲＴ、液晶表示装置等を備え、制御部から出力された表示データや映像データを表示する。
通信制御部は、映像素材事業者端末３０との間でデータの送受信の通信制御を行う。
【００２７】
次に、この実施形態に係る合成映像送信システムの動作を、図２及び図３のフローチャートを参照して説明する。
映像素材事業者端末３０の制御部は、図４に示す素材契約データをシステム事業者端末２０に送信する（ステップＳ１）。
上記素材契約データは、図４に示すように、システム事業者に供給する背景映像のタイトルと、その説明、タイトルが示す背景映像を特定する番号、再生時間、及び利用料金からなるデータ項目を備えている。
【００２８】
システム事業者端末２０の制御部は、素材契約データを受信すると、それらを記憶部に記憶するとともに、この素材契約データをもとにして、図５に示す「おすすめ背景映像選択画面」を生成し、生成した「おすすめ背景映像選択画面」を映像送信ホームページに追加する。
【００２９】
上記「おすすめ背景映像選択画面」は、ユーザに供給する背景映像の内容を示す情報が表示されている画面であって、選択する背景映像のタイトル、その説明、タイトルを指定する番号、再生可能時間、利用料金、及びタイトルを指定するボタン（各タイトルの前に配置されている）、表示画面を戻させる「戻る」ボタン、画面を次の画面に進ませる「次へ」ボタン、「決定」ボタンを備えている。
【００３０】
その後、ユーザ端末１０の制御部は、注文者の操作により、システム事業者がインターネット５０上に開設している映像送信ホームページ（図示せず）にアクセスする(ステップＳ２)。
【００３１】
システム事業者端末２０の制御部は、ユーザ端末１０より映像送信ホームページのアクセスを受信すると、「おすすめ背景映像選択画面」を表示させる表示データをユーザ端末１０に送信する(ステップＳ３)。
【００３２】
ユーザ端末１０の制御部は、システム事業者端末２０より上記表示データを受信すると、表示部に「おすすめ背景映像選択画面」を表示する（ステップＳ４）。その後、制御部、注文者の操作により、「おすすめ背景映像選択画面」中のタイトルを指定するボタンがクリックされたのち、「決定」ボタンがクリックされると、クリックされたタイトルを示す番号を記憶部の作業領域に記憶するとともに（ステップＳ５）、図６に示す購入者・送信先情報入力画面を表示部に表示する（ステップＳ６）。
【００３３】
上記購入者・送信先情報入力画面は、図６に示すように、注文者（購入者）の氏名を入力する氏名入力欄、その住所を入力する住所入力欄、注文者の電話番号を入力する電話番号入力欄、注文者のメールアドレスを入力するメールアドレス入力欄を備えている。
また、購入者・送信先情報入力画面は、注文者により撮影された映像と背景映像とを合成した合成映像の送信先の氏名を入力する送信先氏名入力欄、その住所を入力する送信先住所入力欄、送信先の電話番号を入力する送信先電話番号入力欄、及び送信先のメールアドレスを入力する送信先メールアドレス入力欄を備えている。
更に、購入者・送信先情報入力画面は、１つ前の入力画面、例えば「おすすめ背景映像選択画面」に戻させる「戻る」ボタン、入力した内容が正しい場合にクリックする「決定」ボタンを備えている。
【００３４】
次に、ユーザ端末１０の制御部は、注文者の操作により、上記入力欄の全てに必要事項が入力されたのち、「決定」ボタンがクリックされると（ステップＳ７）、記憶部の作業領域に記憶されているタイトルを示す番号からなる購入注文情報と、購入者・送信先情報入力画面に入力された入力事項からなる購入者・送信先情報をシステム事業者端末２０に送信する（ステップＳ８）。
【００３５】
システム事業者端末２０の制御部は、購入注文情報と購入者・送信先情報を受信すると（ステップＳ９）、これらの情報をもとにして、図７に示す注文データを生成し（ステップＳ１０）、生成した注文データを記憶部に記憶する。その後、制御部は、注文データをもとに、背景映像の送信依頼をする映像送信依頼情報を生成し、これを映像素材事業者端末３０に送信する（ステップＳ１１）。
上記映像送信依頼情報には、背景映像のタイトルを示す番号が示されている。
【００３６】
映像素材事業者端末３０の制御部は、映像送信依頼情報を受信すると(ステップＳ１２)、映像送信依頼情報に示された上記番号により示される背景映像の背景映像ファイルを記憶部より読み出し、これをシステム事業者端末２０に送信する(ステップＳ１３)
【００３７】
システム事業者端末２０の制御部は、背景映像ファイルを受信すると、記憶部に記憶する。次に、制御部は、購入許可を注文者に知らせる情報を表示する、図８に示す「主映像選択画面」を表示させる表示データをユーザ端末１０に送信する（ステップＳ１４）。
【００３８】
ユーザ端末１０の制御部は、「主映像選択画面」を表示させる表示データを受信すると(ステップＳ１５)、表示部に上記主映像選択画面を表示する(ステップＳ１６)。制御部は、注文者の操作により、主映像選択画面に表示されている「これから撮影する映像を使用する」という選択事項と、「保存済みの映像を使用する」という選択事項との中から１つを選択するボタンがクリックされ、また、撮影時間を指定するボタンがクリックされたのち、「決定」ボタンがクリックされると、上記入力事項をシステム事業者端末２０に送信する（ステップＳ１７）。その後、制御部は、撮影した映像をネットワーク５０を介しシステム事業者端末２０に送信する（ステップＳ１８）。
【００３９】
システム事業者端末２０の制御部は、ユーザ端末１０から映像を受信すると、受信した映像と前もって契約した背景映像とを合成し(ステップＳ１９)、合成した映像を送信先のユーザ端末４０にネットワーク５０を介して送信を開始する(ステップＳ２０)。
【００４０】
ユーザ端末４０の制御部は、合成映像を受信すると受信した映像の再生を開始する(ステップＳ２１)。
なお、合成範囲の指定方法および合成方法は、周知であるクロマキー処理や注文者による主映像の範囲選択等の既存技術を利用することとし、この実施形態のシステムにおいて合成方法は問わない。
【００４１】
ユーザ端末１０の制御部は、注文者の操作により、回線切断ボタン（図示せず）がクリックされると、映像の送信を終了した旨をシステム事業者端末２０に送信する（ステップＳ２２）。
【００４２】
システム事業者端末２０の制御部は、映像の送信を終了した旨を受信すると、ユーザ端末４０に合成映像の送信を停止するとともに、合成映像の送信を終了する旨の通知を送信する(ステップＳ２３)。
【００４３】
ユーザ端末４０の制御部は、合成映像の送信を終了する旨の通知を受信する合成映像の再生を停止し(ステップＳ２４)、呼待ち状態に戻る。
【００４４】
次に、システム事業者端末２０の制御部は、映像送信時間及び注文データをもとにして注文者へ費用を請求するための費用請求情報を表示する、図９に示す費用請求情報画面を表示する表示データを生成し、生成した表示データをユーザ端末１０に送信する（ステップＳ２５）。
【００４５】
ユーザ端末１０の制御部は、上記表示データを受信すると費用請求情報画面を表示部に表示する（ステップＳ２６）。その後、システム事業者端末２０の制御部は、費用請求情報に表示されている費用を注文者の携帯電話利用料金として課金する。
【００４６】
続いて、システム事業者端末２０の制御部は、購入映像情報から映像素材事業者センタに支払う費用支払情報を表示する、図１０に示す費用支払情報画面を表示させる表示データを生成し、生成した費用支払情報を映像素材事業者端末３０に送信する（ステップＳ２７）。なお、システム事業者は、所定期間分の費用を素材事業者センターの指定口座に入金する。
【００４７】
映像素材事業者端末３０の制御部は、上記表示データを受信すると、受信した表示データをもとにして表示部に費用支払情報画面を表示し（ステップＳ２８）、処理を終了する。
【００４８】
この実施形態に係る合成映像生成システムによれば、注文者は自分で撮影した映像だけではなく背景映像と組み合わせることにより、様々な状況の映像を送信できる。
また、このシステムによれば、システム事業者が、背景映像用のコンテンツを用意する必要がないため、コンテンツの更新等の運営を容易にすることができる。特にビジネスが拡大し、コンテンツ量が多くなる場合は効果が顕著である。
さらに、このシステムでは、映像素材事業者が、送信システムを用意する必要が無いため、低リスクでビジネス参入できる。
【００４９】
＜第２の実施形態＞
次に、本発明の第２の実施形態に係る合成映像配信システムを説明する。
この合成映像配信システムは、図１１に示すように、ユーザ端末１１０と、システム事業者端末１２０と、ユーザ端末１４０とから構成され、これらはインターネット等のネットワーク１５０に接続されている。
このシステムでは、システム事業者端末１２０が背景映像を保有し、第１の実施形態の映像素材事業者端末３０を備えない構成になっている。
従って、この合成映像送信システムについての動作は、第１実施形態の合成映像送信システムの動作において、映像素材事業者端末３０の動作を除いた動作になるため、その詳細説明を省略する。
【００５０】
【発明の効果】
以上、説明した発明によれば、ユーザが撮影した映像にユーザが選択した背景映像を合成した合成映像を送信先に送信することができる。
【図面の簡単な説明】
【図１】本発明の第１の実施形態に係る合成映像送信システムの構成を示すブロック図である。
【図２】第１の実施形態に係る合成映像送信システムの動作を示すフローチャートである。
【図３】第１の実施形態に係る合成映像送信システムの動作を示すフローチャートである。
【図４】素材契約データの例を示す図である。
【図５】おすすめ背景映像選択画面の例を示す図である。
【図６】購入者・送信先情報入力画面の例を示す図である。
【図７】注文データの構成例を示す図である。
【図８】主映像選択画面の例を示す図である。
【図９】費用請求情報画面の例を示す図である。
【図１０】費用支払情報画面の例を示す図である。
【図１１】本発明の第２の実施形態の合成映像送信システムの構成を示すブロック図である。
【符号の説明】
１０、１１０  ユーザ端末
２０、１２０  システム事業者端末
３０、        映像素材事業者端末
４０、１４０  ユーザ端末
５０、１５０  ネットワーク
【図１】
0003781701.tif 000002
【図２】
0003781701.tif 000003
【図３】
0003781701.tif 000004
【図４】
0003781701.tif 000005
【図５】
0003781701.tif 000006
【図６】
0003781701.tif 000007
【図７】
0003781701.tif 000008
【図８】
0003781701.tif 000009
【図９】
0003781701.tif 000010
【図１０】
0003781701.tif 000011
【図１１】
0003781701.tif 000012